(57)【要約】【課題】  グループもしくは多数の人が共有するＩＰ電話機からの発呼に対しても、着信側で利用者個人を特定することができるＩＰ電話機を提供する。【解決手段】  ＬＡＮを経由してインターネットに接続され、通話用コマンドを発信するコマンド処理手段２３０１とセレクトキー１６０２とを有するＩＰ電話機１００の各セレクトキーに対応した文字列を保持する文字列メモリ２１１を設けると共に、コマンド処理手段が、押下されているセレクトキーに対応する文字列メモリの内容を前記通話用コマンドに組込む。セレクトキーを複数の利用者に割り当て、対応する文字列メモリに利用者の名前を登録しておくことで、セレクトキーに対応した利用者の名前が発信者名として通知できるようになる。【選択図】        図１
2005277693.tif 000002
【特許請求の範囲】
【請求項１】
ＬＡＮを経由してインターネットに接続され、通話用コマンドを発信するコマンド処理手段とセレクトキーとを有するＩＰ電話機であって、
前記ＩＰ電話機には各セレクトキーに対応した文字列を保持する文字列メモリを設けると共に、押下されたセレクトキーに対応する文字列メモリの内容を前記コマンド処理手段が通話用コマンドに組込むようになしたことを特徴とするＩＰ電話機。
【請求項２】
ＬＡＮを経由してインターネットに接続され、外部管理装置から各種初期設定値を受け取る初期設定処理手段を有するＩＰ電話機であって、
前記セレクトキーに対応した文字列メモリの内容を、前記初期設定処理手段が前記外部管理装置から初期設定値として受け取ることを特徴とする請求項１に記載のＩＰ電話機。
【請求項３】
前記セレクトキーは、発信時または着信時の回線選択用のラインキーであり、発信時に押下されたラインキーに対応する文字列メモリの内容を前記コマンド処理手段が発信コマンドに発信者名として組み込むことを特徴とする請求項１記載または請求項２に記載のＩＰ電話機。
【請求項４】
前記ＩＰ電話機に文字処理手段を設け、この文字処理手段により前記文字列メモリの内容を編集可能としたことを特徴とする請求項１または請求項３に記載のＩＰ電話機。
【請求項５】
ＬＡＮを経由してインターネットに接続され、通話用コマンドを発信するコマンド処理手順とセレクトキーとを有するＩＰ電話機の発信処理方法であって、
前記ＩＰ電話機は各セレクトキーに対応した文字列メモリに文字列を保持し、発信時に押下されたセレクトキーに対応する文字列メモリの文字列を前記通話用コマンドに組込む手順を有することを特徴とするＩＰ電話機の発信処理方法。
【請求項６】
ＬＡＮを経由してインターネットに接続され、通話用コマンドを発信するコマンド処理手段と、セレクトキーと、各セレクトキーに対応した文字列を保持する文字列メモリを有するＩＰ電話機を構成するコンピュータに、
発信時に押下されたセレクトキーに対応する文字列メモリの値を前記通話用コマンドに組込む処理を実行させることを特徴とするプログラム。
【発明の詳細な説明】
【技術分野】
【０００１】
本発明は、通信網の一部にインターネットを使用するインターネット電話機（Ｉｎｔｅｒｎｅｔ  Ｐｒｏｔｏｃｏｌ電話機、以下ＩＰ電話機と称する）に関し、特に複数の人が同じＩＰ電話機を利用する場合、利用者毎に異なる発信者名を送出することができるようにしたＩＰ電話機、ＩＰ電話機の発信処理方法およびプログラムに関するものである。
【背景技術】
【０００２】
ＩＰ電話機は、アナログ音声をデジタル音声データに変換する変換機能を有し音声や映像の送受信が可能である。これらのデータの送受信に関しては、呼制御サーバ、設定管理サーバ、ゲートキーパ、コールエージェント等のインターネット電話用サーバ、もしくはパソコンがＩＰ電話機の動作を管理している。これらのインターネット電話用サーバは、使用しているプロトコルにより呼び方が異なっているのであるが、基本的には端末であるＩＰ電話機の登録、接続先の解決（呼制御）、帯域や接続数の管理を行うものである。具体的には上記の外部管理装置である各種サーバが定期的もしくは非同期的にＩＰ電話機へアクセスしたり、ＩＰ電話機に定期的にアクセスさせたりして網アクセス制御、呼制御、端末間制御、データ送受信制御等を行う。
【０００３】
一般のＩＰ電話システムは、図６に示すように、複数のＩＰ電話機Ａ〜ＩＰ電話機Ｄと、呼制御サーバ、各種設定管理を行う設定管理サーバ、あるいは、システム管理者がウエブ設定画面を介してＩＰ電話機Ａ〜ＩＰ電話機Ｄの管理操作を行うために使用する管理者ＰＣ装置（コンピュータ装置）とがＬＡＮ等のネットワークを経由して接続され、インターネット網を介して他のネットワークに接続されたＩＰ電話機と通話し、あるいは、公衆網を経由して加入者電話機と通話するように構成されている。
【０００４】
このようなＩＰ電話機が呼制御サーバのもとで他のネットワークに接続されたＩＰ電話機と通信を行うためには、ネットワーク機器としてネットワーク上で他の機器と通信するためのネットワークの設定と、呼制御サーバや設定管理サーバ等の外部管理装置へのＩＰ電話機の登録と、ＩＰ電話機として通信するための初期設定とが必要である。ネットワークの設定は、例えば、ＤＨＣＰ(Dynamic Host Configuration Protocol)サーバなどによりネットワーク端末としての通信パラメータを設定することにより行われる。この設定によりＩＰ電話機はネットワーク接続された呼制御サーバ等の外部管理装置と通信することが可能となり、該サーバへのＩＰ電話機としての登録および初期設定値の設定が可能となる。
【０００５】
ＩＰ電話機としての登録は、ＩＰ電話機のＭＡＣアドレスを呼制御サーバに登録することで行われる。ＭＡＣアドレスとは、ネットワークに接続されているネットワーク端末を特定するために使われるものであり、「イーサネット（登録商標）・アドレス」や「物理アドレス」、「ハードウェア・アドレス」などとも呼ばれている。ＭＡＣアドレスは、イーサネット（登録商標）・インターフェイスごとに割り当てられている番号で、１つのネットワーク端末が複数のイーサネット（登録商標）・インターフェイスを持つ場合は、それぞれのインターフェイスごとに異なるＭＡＣアドレスが割り当てられる。そして一般には４８ビット長のアドレスが使用され、各オクテットをコロンまたはハイフンで区切った１６進数で表記される。このＭＡＣアドレスは「物理アドレス」であり、ＩＰアドレスのようにソフトにより変更可能なアドレスとは異なり、ハードウェア毎に割り当てられるユニークなアドレスである。
【０００６】
端末がＩＰ電話機として機能するためには初期設定が必要である。初期設定の項目としては、例えば、電話番号、呼制御サーバにログインするためのユーザーＩＤ、パスワード、着信先に表示する表示名、外線、内線の着信音や着信メロディーなどがあり、これらの初期設定値は該当するＩＰ電話機のＭＡＣアドレスと対応付けて呼制御サーバの管理データベースにシステム管理者が登録することよって設定され、ＩＰ電話機側にも同様の初期設定値が書き込まれＩＰ電話機として動作可能となる。ＩＰ電話機への初期設定値の書き込みは、通常、ＩＰ電話機自身に用意された操作画面、キーを用いてシステム管理者や専門業者等が手動で設定する方法がとられる。最近では、ＩＰ電話機がパワーオンした時に呼制御サーバにログインしてＭＡＣアドレスを送信し、呼制御サーバからＭＡＣアドレスに対応する初期設定値をＩＰ電話機にダウンロードする方法も考慮されている。
【０００７】
また、呼制御サーバは、複数のＩＰ電話機がそれぞれどのライン（回線）に属するかをグループライン情報として設定し、また、ＩＰ電話機のラインキーがどのグループラインに対応するかを設定し、これらのグループライン情報を各ＩＰ電話機に通知してＩＰ電話機側に設定することによって接続制御を行っている。ＩＰ電話機に設けられたラインキーとはセレクトキーの一種で、複数のラインキーの内一度に一つのラインキーが選択可能であり、発信時または着信時に押下されたラインキーに登録された回線が通話用に選択される。
【０００８】
ＩＰ電話機は、自己の持つＲＡＭやＨＤＤ等の記憶手段中に前述の初期設定値やグループライン情報の設定値を記憶して発信、着信の通信動作を行う他、該記憶手段には通話履歴、ＩＰ電話機を構成するコンピュータを動作させるファームウェア、ＩＰ電話機のユーザーが作成するアドレス帳等のユーザーデータが保存される。
【０００９】
特定のＩＰ電話に外部から着呼があった場合、当該ＩＰ電話機が電源オフされているような場合には、呼制御サーバは当該ＩＰ電話に接続制御することができない。このため、呼制御サーバは、各ＩＰ電話機が通信可能な状態にあるかを監視する必要があり、各ＩＰ電話機のログイン、ログオフの状態を監視する方法や、各ＩＰ電話機から周期的に登録信号を受信して登録処理を行わせる方法がとられる。前述の初期設定値やグループライン情報は、ＩＰ電話システムの構成変更等によって変更される場合があり、また、各ＩＰ電話機を動作させるためのファームウェアを呼制御サーバ等の外部管理装置からリモートでバージョンアップする場合もある。
【００１０】
現在、ＶｏＩＰ（Ｖｏｉｃｅ  ｏｖｅｒ  Ｉｎｔｅｒｎｅｔ  Ｐｒｏｔｏｃａｌ）システムが市販されている。ＶｏＩＰシステムの代表的な呼制御プロトコルとしてＳＩＰ（Ｓｅｓｓｉｏｎ  Ｉｎｉｔｉａｔｉｏｎ  Ｐｒｏｔｏｃａｌ）がある。このＳＩＰサーバによる呼制御にはＩＮＶＩＴＥと呼ばれる発信用の制御コマンドがある。ＩＮＶＩＴＥコマンドは発信側のＩＰ電話機より送信先に送られる最初の制御メッセージで、このメッセージには、宛先アドレス、発信者アドレス、通信能力情報のほか発信者名や会社名などをＩＰ電話機毎に発呼用の付帯情報として着信先に送ることができる。
【００１１】
ＩＰ電話機のラインキーと呼ばれる外線ラインボタンは外線の回線を選択するためのセレクトキーである。このラインキーは発信時、着信時に、外線（ライン）を選択するために操作されるが、従来は、発信時に通知されるＩＮＶＩＴＥコマンドの発信者名はＩＰ電話機毎に初期設定された値が無条件に設定されてしまい、一台の共有ＩＰ電話機を多数の人が利用する場合であっても、発信者名はこの初期設定された単一の名前しか通知されない問題点があった。
【００１２】
一方、着信側に発信者の電話番号を表示する発信者通知通話が行われており、例えば、下記の特許文献１（特開平１１−８８４９６号公報）には、着呼側で電話番号から発信者を特定するために、着信側の通話管理サーバにて、発信側電話番号対応に、発信者名、発信者会社名、発信者住所などの付帯情報を自己のデータベースに編集して登録しておき、着呼があるとその電話番号から過去に登録した付帯情報を検索して、読み出し、表示する技術が開示されている。
【００１３】
また、下記の特許文献２（特開２００１−１８６２４０号公報）には、インターネットプロトコルによるネットワークを介して複数の端末間で音声通信及びデータ通信を行うことが可能な通信システムにおける通話者情報表示方式及び記録媒体に関し、通話者情報の登録／更新が容易であり、且つ発信／着信者情報の表示を同時に行えるようにする技術が開示されている。
【００１４】
特許文献２に開示されたＩＰ電話システムは、予め各端末にそれぞれ自端末の通話者情報を格納する通話者情報格納部と、通話者情報の入力を行う入力部と，通話者情報を表示する表示部と、音声通信を制御する通話回路部と、発着信時に通話者情報の送受信を制御する通話者情報送受信制御部とを設け、相互に通話者情報の交換を行うようにしたものである。
【００１５】
すなわち、特許文献２に開示されたＩＰ電話システムは、発信者側端末、着信者側端末に利用者は予めそれぞれの入力部から自分の氏名を始めとする情報を入力して通話者情報格納部に格納しておき、発信者端末の利用者が相手先を指定して発信すると、通信インターフェイスからＩＰネットワークへ呼出しメッセージを送信する。着信者側端末でこれを受け取ると受付を表すメッセージを発信側へ送り、着信者側端末の利用者の呼出しを行うと共に通話者情報格納部の通話者情報を発信側へ送る。発信者側端末で受付のメッセージを受け取ると、制御部１０は通話者情報格納部に格納された自分の通話者情報を送信させる一方、相手からの通話者情報を受信すると表示部１４にその通話者情報と着信者側端末が呼出し中の状態であることを表示する。着信者側端末で発信側端末の利用者情報を見て利用者が応答を行うと、その応答メッセージが発信側端末に送られて、通話回路部、通信インターフェイスを介してＶｏＩＰのパケットによる音声通信が開始されるように構成されている。
【特許文献１】特開平１１−８８４９６号公報
【特許文献２】特開２００１−１８６２４０号公報
【発明の開示】
【発明が解決しようとする課題】
【００１６】
先に述べたように、ＩＰ電話機のラインキーと呼ばれる外線ラインボタンは外線の回線を選択するためのセレクトキーである。このラインキーが発信時に操作された時、従来は、発信時に通知されるＩＮＶＩＴＥの発信者名としてＩＰ電話機毎に初期設定された値が無条件に設定されてしまい、一台の共有ＩＰ電話機を多数の人が利用する場合であっても、発信者名はこの初期設定された単一の名前しか通知されないという問題点があった。
【００１７】
従って、近年、多機能なＩＰ電話機が開発され特に企業で多く利用されているが、複数の人が１台のＩＰ電話機を共用利用する場合、ＩＰ電話は各電話機毎に一人の名標しか定義できないために、着信側で発信者を特定することができないというのが現状である。
【００１８】
そして、上記特許文献１に開示された技術では、電話番号をキーとしてその付帯情報を記録しておき、これを検索して表示するので、複数の人が同一のＩＰ電話機を利用して発信してくる時には、その発信者を特定することができない。例え、同一の電話番号に対して異なる発信者が各人の名前をそれぞれ登録できたとしても、発信者の一覧を表示することはできるが、発信者を特定することはできず、上記の問題点を解消するものではなかった。また、この技術では、着信者側で発信者の電話番号とそれに付帯する発信者名などの情報をデータ登録するか、あるいは、発信者側から着信者側サーバに自身の電話番号、付帯情報の登録をしておかなければ付帯情報を着信側電話機に表示することができないという不都合があった。
【００１９】
また、上記特許文献２に開示された技術は、相手端末との音声通信による発信、着信時に、発信側端末と着信側端末間で通話者情報を相互に転送して、呼出しまたは着信表示と同時に通話相手の情報を発信者、着信者の双方の端末の表示部に表示するよう構成したものであり、同一の電話機を複数の利用者が使用することは想定されておらず、異なる発信者を識別することはできない。
【００２０】
すなわち、特許文献１、特許文献２に開示された技術においては、複数の利用者が１台のＩＰ電話機を使用する際の考慮がなされておらず、同じＩＰ電話機を利用する複数の人を識別できるような構成にすることは全く想定されておらず、前記の問題点を解消し得るものではなかった。
【００２１】
本願の発明者は、前記の問題点を解消すべく種々検討を重ねた結果、ＩＰ電話機のラインを選択するセレクトキー（ラインキー）毎にそれぞれ発信者を割り当て、発信者名を登録しておくことによって、同じＩＰ電話機を利用した場合でも、使用者が自分に割り当てられたセレクトキーを選択して発信すれば、その使用者の名前が発信者名として着信側に通知できることに着目して本発明を完成するに至ったものである。
【００２２】
すなわち、本発明は前述の問題点を解決することを課題とし、グループもしくは多数の人が共有するＩＰ電話機からの発信時にも、それぞれの発信者名を着信側に通知できるＩＰ電話機を提供し、着信側で利用者個人を特定することができるようになすことを目的とするものである。
【課題を解決するための手段】
【００２３】
前記課題を解決するために、本願の請求項１に係る発明は、ＬＡＮを経由してインターネットに接続され、通話用コマンドを発信するコマンド処理手段とセレクトキーとを有するＩＰ電話機であって、
前記ＩＰ電話機には各セレクトキーに対応した文字列を保持する文字列メモリを設けると共に、押下されたセレクトキーに対応する文字列メモリの内容を前記コマンド処理手段が通話用コマンドに組込むようになしたことを特徴とする。
【００２４】
また、本願の請求項２に係る発明は、請求項１のＩＰ電話機がＬＡＮを経由してインターネットに接続され、外部管理装置から各種初期設定値を受け取る初期設定処理手段を有するＩＰ電話機であって、
前記セレクトキーに対応した文字列メモリの内容を、前記初期設定処理手段が前記外部管理装置サーバから初期設定値として受け取ることを特徴とする。
【００２５】
また、本願の請求項３に係る発明は、請求項１または２のＩＰ電話機において、セレクトキーは、発信時または着信時の回線選択用のラインキーであり、発信時に押下されたラインキーに対応する文字列メモリの内容を前記コマンド処理手段が発信コマンドに発信者名として組み込むことを特徴とする。
【００２６】
また、本願の請求項４に係る発明は、請求項１または３のＩＰ電話機において、ＩＰ電話機に文字処理手段を設け、この文字処理手段により前記文字列メモリの内容を編集可能としたことを特徴とする。
【００２７】
また、本願の請求項５に係る発明は、ＬＡＮを経由してインターネットに接続され、通話用コマンドを発信するコマンド処理手順とセレクトキーとを有するＩＰ電話機の発信処理方法であって、
前記ＩＰ電話機は各セレクトキーに対応した文字列メモリに文字列を保持し、発信時に押下されたセレクトキーに対応する文字列メモリの文字列を前記通話用コマンドに組込む手順を有することを特徴とする。
【００２８】
また、本願の請求項６に係る発明は、ＬＡＮを経由してインターネットに接続され、通話用コマンドを発信するコマンド処理手段と、セレクトキーと、各セレクトキーに対応した文字列を保持する文字列メモリを有するＩＰ電話機を構成するコンピュータに、
発信時に押下されたセレクトキーに対応する文字列メモリの値を前記通話用コマンドに組込む処理を実行させることを特徴とするプログラムである。
【発明の効果】
【００２９】
請求項１に係る発明においては、ＩＰ電話機に、ＩＰ電話機の各セレクトキーに対応した文字列を保持する文字列メモリを設け、発信時に押下されたセレクトキーに対応する文字列メモリの内容を通話用コマンドに組込むことにより、グループもしくは多数の人が共有するＩＰ電話機から個人毎に異なる発信コマンドを生成することができる。従って、同一のＩＰ電話機から発信する発信者が異なっても、異なる発信者名を持つ発信用コマンドが生成されるので、着信側では発信者を特定することができるようになる。
【００３０】
請求項２に係る発明においては、請求項１記載のＩＰ電話機において、初期設定処理手段がセレクトキーに対応した文字列を外部管理装置から初期設定値として受け取るので、ラインキーへの文字列の登録が一括しておこなわれ、各個人が登録する手間を省くことができるようになる。
【００３１】
請求項３に係る発明においては、請求項１ないし請求項２記載のＩＰ電話機において、セレクトキーとして発信、着信の回線選択用のラインキーを使用することにより、発信時に押下されたラインキーに対応する文字列メモリの内容を通話用コマンドに組込むことによりグループもしくは多数の人が共有するＩＰ電話機から個人毎に異なる発信コマンドを生成することができる。従って発信者毎に異なる名標を有する発信用コマンドを生成することができ、同一ＩＰ電話機でも異なる発信者名を持つ発信用コマンドが生成されるので、着信側で発信者を特定することができるようになる。
【００３２】
請求項４に係る発明においては、請求項２ないし請求項３記載のＩＰ電話機において、ＩＰ電話機に文字処理手段を設け、この文字処理手段により文字列メモリの内容を編集可能としたことにより、ＩＰ電話機から直接発信者名を登録あるいは変更することができるようになる。
【００３３】
請求項５に係る発明においては、ＬＡＮを経由してインターネットに接続され、通話用コマンドを発信するコマンド処理手順とセレクトキーとを有するＩＰ電話機が各セレクトキーに対応した文字列メモリに文字列を保持し、発信時に押下されたセレクトキーに対応する文字列メモリの文字列を前記通話用コマンドに組込むものであるから、グループもしくは多数の人が共有するＩＰ電話機からの発信に対しても、着信側で発信者個人を特定することができるようになる。
【００３４】
請求項６に係る発明においては、ＬＡＮを経由してインターネットに接続され、通話用コマンドを発信するコマンド処理手段と、セレクトキーと、各セレクトキーに対応した文字列を保持する文字列メモリを有するＩＰ電話機を構成するコンピュータに、発信時に押下されたセレクトキーに対応する文字列メモリの値を前記通話用コマンドに組込む処理を実行させるためのプログラムを提供することができる。
【発明を実施するための最良の形態】
【００３５】
以下、本発明の具体例を実施例及び図面を用いて詳細に説明する。図１は、本発明の実施例１に係わるＩＰ電話機の構成を示すブロック図であり、図２は、呼制御サーバがＳＩＰサーバである場合の通話時のシーケンスを示すシーケンス図である。図３は、発信用に生成されたＩＮＶＩＴＥコマンドの例である。図４は、図３で示したＩＮＶＩＴＥメッセージを生成する処理手順を示すフローチャートである。図５は、ＩＰ電話機の外観を示す図である。
【実施例１】
【００３６】
図１は、本発明の実施例１にかかるＩＰ電話機の構成を示すブロック図である。図１において、ＩＰ電話機１００は、ＬＡＮインターフェイス（ＬＡＮ−Ｉ／Ｆ）１８０を介してネットワークであるＬＡＮに接続されている。ＬＡＮは、所定の通信プロトコル、例えばＴＣＰ／ＩＰプロトコルを適用するネットワークで、図６の一般的なＩＰ電話システムと同様に、呼制御サーバ等の外部管理装置とＩＰ電話機１００が接続されインターネット電話の通話網を形成する。
【００３７】
ＩＰ電話機１００は、図１のブロック図に示すように、音声出力のためのスピーカ１２０、音声入力のためのマイク１３０、音声コーディック１４０を有している。音声コーディック１４０は、音声の符号化と複合化、すなわち音声のアナログとディジタルの変換を行っている。この音声コーディック１４０は、その他に受話音量やマイクの感度変更の機能を備えている。ＩＰ電話機１００は、また、ディスプレイパネルによる表示部１５０、入力部１６０を有している。入力部１６０にはプッシュボタンによる複数のテンキー１６０１と、回線選択用ラインキー１〜ｎ等のセレクトキー１６０２とが設けられている。表示部１５０、入力部１６０、テンキー１６０１、ラインキー１６０２は、図５に示すＩＰ電話機１００の外観図としても示されている。図５において、１１０はハンドセット、１６０３は各種のファンクションキーである。
【００３８】
図１において、ＩＰ電話機１００は、制御部２００を有しており、制御部２００は、マイクロプロセッサとＲＡＭ、ＲＯＭ等からなる一般的な構成のものである。また、ＩＰ電話機１００は、通話に必要なネットワークの設定値や通信のための初期設定値を記憶する初期設定値メモリ２１０を有している。ＩＰ電話機１００がこの他に記憶している情報としては、グループライン情報、集中管理情報、通話履歴情報等があるが図示していない。また、初期設定処理手段２２０は、外部管理装置から送られた各種の初期設定値を初期設定値メモリ２１０に格納する手段である。この設定値は既に述べたように、ＩＰ電話機の電源を入れた時に外部管理装置から登録してある設定値をダウンロードしたり、周期的に外部管理装置に接続確認する際の設定値保存処理により維持、更新される。
【００３９】
接続処理手段２３０は、通話の接続、転送、切断を各種コマンドを用いて制御しており、接続処理手段２３０のコマンド処理手段２３０１は、通話接続するのに必要な発信用コマンドを生成して発信したり、着信用のコマンドを解析し必要なパラメータを取り出したりする。通話処理手段１４０は音声パケット等の処理を行う。
【００４０】
初期設定値メモリ２１０には、先に述べたように、ＩＰ電話機１００の電話番号、ユーザーＩＤ、パスワード、外線着信音、内線着信音等が記憶されている。また、文字列メモリ２１１には、ラインキー１６０２に対応して当該ラインキーに割り当てられた電話番号と、その電話番号に付帯する情報としてそのラインキーに割り当てられた利用者の名前（発信時に発信者名になる）を記憶することができる。この文字列メモリ２１１は、初期設定値メモリ２１０の領域を用いてもよく、初期設定値メモリ２１０とは別のメモリに設けてもよい。
【００４１】
文字処理手段２５０は、各ラインキー１６０２に対応した文字列メモリ２１１に発信者名等の付帯情報を設定するための入力手段であり、テンキー１６０１や表示部に表示させたソフトキーボードを利用し、文字列メモリ２１１の値を表示部１５０に表示させたり、変更したりすることができる。一度登録した文字列は再度同じラインキーを指定することにより更新することができるし、入力文字列としてスペースを登録すれば、先に登録した文字列を消去することもできる。
【００４２】
ラインキー１６０２は発信時、着信時にユーザーが操作して回線を指定するセレクトキーである。ＩＰ電話機１００から発信する際、ハンドセット１１０を取り上げて（オフフック）し、利用者に割り当てられたラインキー１６０２を押下して、電話番号もしくは表示部１５０に表示した宛先が指示されると、接続処理手段２３０が発信用のコマンドを生成する。この発信用コマンドには宛先アドレスや発信者アドレス等種々の変数が編集されるが、特に発信者名としては発信時に押下されたラインキー１６０２に対する文字列メモリ２１１に格納された付帯情報が抽出されて挿入される。すなわち、文字列メモリ２１１に登録してある名前が付加されることになる。
【００４３】
呼制御サーバが発信用コマンドに基づいて着信先を呼出し、着信先の電話機への接続が完了すると、通話処理手段２４０により音声コーディック１４０を経由してスピーカ１２０とマイク１３０にて通話が持続され、通話を終了してハンドセット１１０を置く（オンフックする）と通話切断の処理が接続処理手段２３０により実施される。
【００４４】
以上の動作手順について以下詳細に説明する。図２は、呼制御サーバとしてＳＩＰサーバを用いた場合の通話時シーケンスを示す図である。発信側のＩＰ電話機１００は、まず着信端末のＳＩＰ−ＵＲＬと呼ばれる相手先呼制御サーバの識別子等を指定してＩＮＶＩＴＥメッセージを送信する（Ｆ１）。このＩＮＶＩＴＥメッセージは発信側の呼制御サーバと着信側の呼制御サーバを経由して着信側のＩＰ電話機に到達する（Ｆ２、Ｆ４）。ＩＮＶＩＴＥメッセージを受けた発信側の呼制御サーバは、発信側ＩＰ電話機に接続試行中であることを示す１００Ｔｒｙｉｎｇメッセージを返送する（Ｆ３）。ＩＮＶＩＴＥメッセージを受けた着信側の呼制御サーバは発信側の呼制御サーバに接続試行中であることを示す１００Ｔｒｙｉｎｇメッセージを返す（Ｆ５）。
【００４５】
着信側のＩＰ電話機を呼出中の間は、１８０Ｒｉｎｇｉｎｇメッセージが着信側のＩＰ電話機から着信側呼制御サーバと発信側呼制御サーバを経由して発信側のＩＰ電話機に送出される（Ｆ６，Ｆ７、Ｆ８）。着信側のＩＰ電話機のハンドセットが取り上げられると、着信端末の応答を示す２００ＯＫメッセージが同じく着信側のＩＰ電話機から着信側呼制御サーバと発信側呼制御サーバを経由して発信側のＩＰ電話機に返送される（Ｆ９，Ｆ１０、Ｆ１１）。２００ＯＫメッセージに対しては、確認信号ＡＣＫが返され（Ｆ１２）、通話が開始される。
【００４６】
通話が終了しハンドセットが置かれると、図２の例は、着信側が先にハンドセットを置いた例であるが、切断を示すＢＹＥメッセージが着信側ＩＰ電話機から発信側ＩＰ電話機へ送られ（Ｆ１３）、着信側のＩＰ電話機よりその応答メッセージ２００ＯＫが返送され（Ｆ１４）通話が完了する。
【００４７】
図３は、発信用に生成されたＩＮＶＩＴＥメッセージの例である。この発信コマンドは呼制御サーバであるＳＩＰのテキストでエンコーディングされたスタートライン（Ｌ０１）とメッセージヘッダ(Ｌ０２〜Ｌ１０)である。実際のＩＮＶＩＴＥメッセージはこれに続くメッセージボディでＳＤＰ（Ｓｅｓｓｏｎ  Ｄｅｓｃｒｉｐｔｉｏｎ  Ｐｒｏｔｏｃｏｌ）を使用し通話の能力交換を行っている。L０４は、メールアドレス形式で表記された宛先「Ｙｏｓｈｉｋｏ」を挿入した例を示している。Ｌ０５、は発信者の名前を表示する部分であり、発信時に押下されたラインキー１６０２に対応する文字列「Ａｋｉｒａ」を挿入した例を示す。
【００４８】
図４は、図３で示したＩＮＶＩＴＥメッセージを生成する処理手順を示すフローチャートである。ＩＮＶＩＴＥメッセージには、発信時にＩＰ電話機１００の表示部１５０で指定された宛先もしくはテンキーで指定された宛先のアドレスをステップＳ１００で設定する。続いてラインキーの中に押下されているものがあるかを検査し、押下されていればステップＳ１２０でそのラインキー番号を抽出し、そのラインキーに対応する文字列メモリ２１１に登録された発信用の発信者名を読出し、読出した発信者名をメッセージ中に埋め込む。
【００４９】
もしラインキーが押下されていなければ、ステップＳ１１０で表示によるソフト的な発信者名付加の選択が定義されているかを判定する。表示によるソフト的な発信者名付加の選択が定義されていれば、ステップ１３１で発信者名の一覧を文字列メモリ２１１から読み出して表示部１５０に表示し、発信者の選択を待つ。発信者名が選択されると、指定された名前を取りだし発信メッセージの中に埋め込む。
【００５０】
ステップ１３０で表示によるソフト的な発信者名の選択が定義されていなければ、発信元の代表名をデフォルト値としてメッセージに設定する。ただし、ソフト的な発信者名の選択は、補助的に付加したものであり、表示、選択の処理が冗長であるから、ラインキーを直接押下する方が、使い勝手に優れている。次に発信者アドレスをステップＳ１４０で設定し、続いてステップＳ１５０でメッセージの属性とメッセージの種別を設定する。このような手順で発信用コマンドの編集が行われ、着信側に送られる。
【００５１】
以上、本発明によれば、セレクトキーであるラインキーを複数の利用者に割り当て、ラインキーに対応して割り当てられた利用者の名前（発信者名）を登録しておき、選択されたラインキーに応じた文字列メモリに登録記憶されている発信者名を発信コマンドに付加する例を説明したが、本発明はそれに限定されるものではなく、ＩＰ電話機１００の他のセレクトキーを利用することもできる。また、呼制御サーバとしてＳＩＰサーバを用いた実施例を述べたが、本件内容はそれに限定されるものではなく、インターネット電話で利用される他の呼制御サーバを用いてもよい。
【図面の簡単な説明】
【００５２】
【図１】本発明の実施例１に係わるＩＰ電話機の構成を示すブロック図である。
【図２】呼制御サーバがＳＩＰサーバである場合の通話時のシーケンスを示すシーケンス図である。
【図３】発信用に生成されたＩＮＶＩＴＥメッセージの例である。
【図４】図３で示したＩＮＶＩＴＥメッセージを生成する手順を示すフローチャートである。
【図５】ＩＰ電話機の外観の１例を示す図である。
【図６】従来の一般的なＩＰ電話システムの構成を示す図である。
【符号の説明】
【００５３】
１００      ＩＰ電話機
１２０      スピーカ
１３０      マイク
１５０      表示部
１６０      入力部
２００      ＩＰ電話機の制御部
２１０      初期設定値メモリ
２１１      文字列メモリ
２２０      初期設定処理手段
２３０      接続処理手段
２３０１    コマンド処理手段
２４０      通話処理手段
１６０１    英数字キー
２５０      文字処理手段
１６０２    ラインキー（セレクトキー）
【図１】
2005277693.tif 000003
【図２】
2005277693.tif 000004
【図３】
2005277693.tif 000005
【図４】
2005277693.tif 000006
【図５】
2005277693.tif 000007
【図６】
2005277693.tif 000008